(57)【要約】【課題】飛距離を十分に向上させることができるゴルフボールを提供する。【解決手段】ゴルフボール１は、陸部２と、陸部２から凹むように設けられた複数のディンプル３とを備えている。複数のディンプル３の各々は、円形状の底面３ａと、円形状であり、底面３ａよりも大きな直径を有する開口３ｂと、底面３ａと開口３ｂとをつなぐ側面３ｃとを含んでいる。側面３ｃは、底面３ａから開口３ｂまで複数のディンプル３の各々の直径が大きくなるように直線的に傾斜している。底面３ａの直径Ｄｂは、０．４５ｍｍ以上０．６０ｍｍ以下である。【選択図】図３
2020054642.tif 000002
【特許請求の範囲】
【請求項１】
陸部と、
前記陸部から凹むように設けられた複数のディンプルとを備え、
前記複数のディンプルの各々は、
円形状の底面と、
円形状であり、前記底面よりも大きな直径を有する開口と、
前記底面と前記開口とをつなぐ側面とを含み、
前記側面は、前記底面から前記開口まで前記複数のディンプルの各々の直径が大きくなるように直線的に傾斜しており、
前記底面の直径は、０．４５ｍｍ以上０．６０ｍｍ以下である、ゴルフボール。
【請求項２】
前記複数のディンプルは、互いに形状が異なる複数のディンプル群を含み、
前記複数のディンプル群の各々における前記開口の直径に対する深さの比の平均値は、０．０５６以上０．０５８以下である、請求項１に記載のゴルフボール。
【請求項３】
前記複数のディンプル群の各々における前記開口の前記直径に対する前記底面の直径の比の平均値は、０．１２以上０．１８以下である、請求項２に記載のゴルフボール。
【発明の詳細な説明】
【技術分野】
【０００１】
本発明はゴルフボールに関するものである。
【背景技術】
【０００２】
従来、ゴルフボールの飛距離を向上させるために、ゴルフボールの表面に様々なディンプルが設けられている。たとえば、特開平３−１９８８７５号公報（特許文献１）には、各ディンプルの側面が截頭錐体によって形成されているゴルフボールが記載されている。
【先行技術文献】
【特許文献】
【０００３】
【特許文献１】特開平３−１９８８７５号公報
【発明の概要】
【発明が解決しようとする課題】
【０００４】
上記公報に記載されたゴルフボールにおけるディンプルの形状では、飛距離を十分に向上させることは困難である。
【０００５】
本発明は上記課題に鑑みてなされたものであり、その目的は、飛距離を十分に向上させることができるゴルフボールを提供することである。
【課題を解決するための手段】
【０００６】
本発明のゴルフボールは、陸部と、陸部から凹むように設けられた複数のディンプルとを備えている。複数のディンプルの各々は、円形状の底面と、円形状であり、底面よりも大きな直径を有する開口と、底面と開口とをつなぐ側面とを含んでいる。側面は、底面から開口まで複数のディンプルの各々の直径が大きくなるように直線的に傾斜している。底面の直径は、０．４５ｍｍ以上０．６０ｍｍ以下である。これにより、飛距離を十分に向上させることができることを発明者らは見出した。
【０００７】
上記のゴルフボールにおいて、好ましくは、複数のディンプルは、互いに形状が異なる複数のディンプル群を含んでいる。複数のディンプル群の各々における開口の直径に対する深さの比の平均値は、０．０５６以上０．０５８以下である。
【０００８】
上記のゴルフボールにおいて、好ましくは、複数のディンプル群の各々における開口の直径に対する底面の直径の比の平均値は、０．１２以上０．１８以下である。
【発明の効果】
【０００９】
以上説明したように、本発明のゴルフボールによれば、飛距離を十分に向上させることができる。
【図面の簡単な説明】
【００１０】
【図１】本発明の一実施の形態におけるゴルフボールの概略上面図である。
【図２】本発明の一実施の形態におけるゴルフボールの概略正面図である。
【図３】本発明の一実施の形態におけるゴルフボールのディンプルの概略断面図である。
【図４】本発明の一実施の形態におけるゴルフボールのディンプルの概略斜視図である。
【図５】図１のＶ−Ｖ線に沿う概略断面図である。
【発明を実施するための形態】
【００１１】
以下、本発明の一実施の形態について図に基づいて説明する。
最初に、図１および図２を参照して、本発明の一実施の形態のゴルフボールに係るディンプルパターンの構成について説明する。本発明の一実施の形態のゴルフボール１は、陸部２と、複数のディンプル３とを有している。
【００１２】
陸部２は、表面において複数のディンプル３の間に配置されている。陸部２は、表面において複数のディンプル３のうち互いに隣接する３つのディンプル３の間に配置された部分同士が接続されることにより構成されている。陸部２は、複数のディンプル３が形成されていない部分である。
【００１３】
複数のディンプル３は、ゴルフボール１の表面に形成されている。複数のディンプル３は、陸部２から凹むように設けられている。複数のディンプル３の各々は、陸部２からゴルフボール１の中心に向けて凹むように構成されている。複数のディンプル３の各々は、平面視において円形に設けられている。
【００１４】
複数のディンプル３は、複数のディンプル群を含んでいる。複数のディンプル群は互いに形状が異なる。複数のディンプル３は、複数のディンプル群の各々として、第１ディンプルＡ、第２ディンプルＢ、第３ディンプルＣ、第４ディンプルＤ、第５ディンプルＥ、第６ディンプルＦ、第７ディンプルＧ、第８ディンプルＨ、第９ディンプルＩ、第１０ディンプルＪを含んでいる。
【００１５】
複数のディンプル３の個数は、たとえば３１０個以上４００個以下である。複数のディンプル３の個数は、たとえば３６０個であってもよい。第１ディンプルＡの個数は、たとえば１２個である。第２ディンプルＢの個数は、たとえば６個である。第３ディンプルＣの個数は、たとえば２４個である。第４ディンプルＤの個数は、たとえば１２個である。第５ディンプルＥの個数は、たとえば６個である。第６ディンプルＦの個数は、たとえば２４個である。第７ディンプルＧの個数は、たとえば９６個である。第８ディンプルＨの個数は、たとえば９０個である。第９ディンプルＩの個数は、たとえば７８個である。第１０ディンプルＪの個数は、たとえば１２個である。
【００１６】
ゴルフボール１は、第１半球部１ａおよび第２半球部１ｂを含んでいる。第１半球部１ａおよび第２半球部１ｂの各々は略半球形状に構成されている。第１半球部１ａおよび第２半球部１ｂの各々の底部は、曲線状に設けられている。第１半球部１ａおよび第２半球部１ｂの各々の底部は、シームラインＳＬに対応する。シームラインＳＬは、ゴルフボール１の大円に一致しない。
【００１７】
第１半球部１ａおよび第２半球部１ｂの各々は、極Ｐの周囲に均等に配置された３個の区域１ｃを含んでいる。ゴルフボール１の全表面には合計６個の区域１ｃが配置されている。各区域１ｃは、ゴルフボール１の外周の１２０°の範囲に配置されている。各区域１ｃは、球面三角領域である。第１半球部１ａにおいて各区域１ｃは、第１半球部１ａの極Ｐを共有する。第２半球部１ｂにおいて各区域１ｃは、第２半球部１ｂの極Ｐを共有する。互いに隣り合う区域１ｃは、互いの境界に位置する複数のディンプル３を共有する。各区域１ｃにおいて、対称線ＬＳの一方側の半分領域に配置されたディンプル３は、対称線ＬＳの他方側の半分領域に配置されたディンプル３と対称線ＬＳに対して線対称に配置されている。
【００１８】
第１半球部１ａにおけるディンプル３の配置（ディンプルパターン）は、第２半球部１ｂにおけるディンプル３の配置（ディンプルパターン）と同じである。第１半球部１ａにおけるディンプルパターンは、第２半球部１ｂにおけるディンプルパターンと、シームラインＳＬを境界として回転方向に約１０°ずれている。図１および図２に示されるゴルフボール１では、合計で３６０個のディンプル３が設けられている。各区域１ｃには、３０個のディンプル３が設けられている。各区域１ｃの対称線ＬＳの両側における各半分領域には、１５個のディンプル３が設けられている。
【００１９】
図３および図４を参照して、複数のディンプル３の構成についてさらに詳しく説明する。複数のディンプル３の各々のディンプルの底面の中心およびゴルフボール１の中心を通過する断面において、ディンプル断面に蓋をするようにディンプル断面線に接線を引いたとき、接線とディンプル断面線の両端との接点がディンプル３のエッジと呼ばれる。上記接線とディンプル３の最深部との距離がディンプル３の深さである。上記接点間の上記接線の距離がディンプル３の直径である。上記接点を結んだ円の平面の面積がディンプル３の面積である。上記接点を結んだ円の平面とディンプル３の表面とで囲まれる範囲の体積がディンプル３の容積である。
【００２０】
複数のディンプル３の各々は、底面３ａと、開口３ｂと、側面３ｃとを含んでいる。底面３ａは円形状に構成されている。開口３ｂは、円形状に構成されている。開口３ｂは、上記接点を結んだ円により規定される。開口３ｂは、底面３ａよりも大きな直径を有する。
【００２１】
側面３ｃは、底面３ａと開口３ｂとをつなぐように構成されている。側面３ｃは、底面３ａから開口３ｂまで複数のディンプル３の各々の直径が大きくなるように直線的に傾斜している。側面３ｃは、ディンプル断面において直線状に構成されている。側面３ｃは、ディンプル断面において上記接線に対して一定の角度（断面角度）で傾斜している。断面角度は、ディンプル断面において上記接線と側面３ｃとがなす角度である。つまり、断面角度は、開口３ｂを仮想面４としたときに、仮想面４と側面３ｃとのなす角度αである。
【００２２】
具体的には、ディンプル３は、ディンプル３の表面と、ディンプル３のエッジで構成される円の平面とで囲まれる空間が截頭錐体となるように構成されている。ディンプル３は、ディンプル３の表面と、ディンプル３のエッジで構成される円の平面とで囲まれる空間が円錐台形状となるように構成されている。
【００２３】
ディンプル３の直径Ｄｔは、上記接線とディンプル断面線の両端との接点間の距離である。ディンプル３の直径Ｄｔはディンプル３のエッジで形成される円の平面の直径である。ディンプル３の直径Ｄｔは、開口３ｂの直径Ｄｔである。
【００２４】
ディンプル３の底面３ａの直径Ｄｂは、ディンプル３のディンプル断面における底面３ａと側面３ｃとの接点間の距離である。ディンプル３の底面３ａの直径Ｄｂは、たとえば０．５０ｍｍ以上０．５５ｍｍ以下である。ディンプル３の底面３ａの直径Ｄｂは、たとえば０．４５ｍｍ以上０．６０ｍｍ以下であってもよい。
【００２５】
複数のディンプル群の各々における開口３ｂの直径Ｄｔに対する底面３ａの直径Ｄｂの比の平均値は、０．１４７以上０．１６２以下である。複数のディンプル群の各々における開口３ｂの直径Ｄｔに対する底面３ａの直径Ｄｂの比の平均値は、０．１２以上０．１８以下であってもよい。
【００２６】
ディンプル３の深さＤｐは、上記接線とディンプル３の最深部との最短距離である。つまり、ディンプル３の深さＤｐは、ディンプル３の底面の中心と、ディンプル３のエッジで構成される円の平面とのゴルフボール１の径方向の最短距離である。複数のディンプル群の各々における開口３ｂの直径Ｄｔに対する深さＤｐの比の平均値は、０．０５６以上０．０５８以下であってもよい。
【００２７】
ディンプル３の容積Ｖは、ディンプル３の表面と、ディンプル３のエッジで形成される円の平面とで囲まれる空間の容積である。ディンプル３の容積Ｖは、側面３ｃの表面および底面３ａの表面と、ディンプル３のエッジで形成される円の平面とで囲まれる空間の容積である。
【００２８】
第１ディンプルＡの直径Ｄｔは、たとえば２．４０ｍｍである。第１ディンプルＡの深さＤｐは、たとえば０．２１５ｍｍ以上０．２２２ｍｍ以下である。第１ディンプルＡの容積Ｖは、たとえば０．４０５ｍｍ3以上０．４２９ｍｍ3以下である。第１ディンプルＡの開口３ｂの直径Ｄｔに対する深さＤｐの比は、たとえば０．０８９以上０．０９３以下である。第１ディンプルＡの開口３ｂの直径Ｄｔに対する底面３ａの直径Ｄｂの比は、たとえば０．２０８以上０．２２９以下である。
【００２９】
第２ディンプルＢの直径Ｄｔは、たとえば２．４０ｍｍである。第２ディンプルＢの深さＤｐは、たとえば０．２２６ｍｍ以上０．２３４ｍｍ以下である。第２ディンプルＢの容積Ｖは、たとえば０．４２７ｍｍ3以上０．４５１ｍｍ3以下である。第２ディンプルＢの開口３ｂの直径Ｄｔに対する深さＤｐの比は、たとえば０．０９４以上０．０９７以下である。第２ディンプルＢの開口３ｂの直径Ｄｔに対する底面３ａの直径Ｄｂの比は、たとえば０．２０８以上０．２２９以下である。
【００３０】
第３ディンプルＣの直径Ｄｔは、たとえば３．３２ｍｍである。第３ディンプルＣの深さＤｐは、たとえば０．１４７ｍｍ以上０．１５２ｍｍ以下である。第３ディンプルＣの容積Ｖは、たとえば０．４９９ｍｍ3以上０．５２３ｍｍ3以下である。第３ディンプルＣの開口３ｂの直径Ｄｔに対する深さＤｐの比は、たとえば０．０４４以上０．０４６以下である。第３ディンプルＣの開口３ｂの直径Ｄｔに対する底面３ａの直径Ｄｂの比は、たとえば０．１５１以上０．１６６以下である。
【００３１】
第４ディンプルＤの直径Ｄｔは、たとえば３．３２ｍｍである。第４ディンプルＤの深さＤｐは、たとえば０．１５８ｍｍ以上０．１６３ｍｍ以下である。第４ディンプルＤの容積Ｖは、たとえば０．５３５ｍｍ3以上０．５６２ｍｍ3以下である。第４ディンプルＤの開口３ｂの直径Ｄｔに対する深さＤｐの比は、たとえば０．０４８以上０．０４９以下である。第４ディンプルＤの開口３ｂの直径Ｄｔに対する底面３ａの直径Ｄｂの比は、たとえば０．１５１以上０．１６６以下である。
【００３２】
第５ディンプルＥの直径Ｄｔは、たとえば３．５３ｍｍである。第５ディンプルＥの深さＤｐは、たとえば０．２０３ｍｍ以上０．２１０ｍｍ以下である。第５ディンプルＥの容積Ｖは、たとえば０．７７０ｍｍ3以上０．８０８ｍｍ3以下である。第５ディンプルＥの開口３ｂの直径Ｄｔに対する深さＤｐの比は、たとえば０．０５８以上０．０５９以下である。第５ディンプルＥの開口３ｂの直径Ｄｔに対する底面３ａの直径Ｄｂの比は、たとえば０．１４２以上０．１５６以下である。
【００３３】
第６ディンプルＦの直径Ｄｔは、たとえば３．７６ｍｍである。第６ディンプルＦの深さＤｐは、たとえば０．１４４ｍｍ以上０．１４９ｍｍ以下である。第６ディンプルＦの容積Ｖは、たとえば０．６１５ｍｍ3以上０．６４４ｍｍ3以下である。第６ディンプルＦの開口３ｂの直径Ｄｔに対する深さＤｐの比は、たとえば０．０３８以上０．０４０以下である。第６ディンプルＦの開口３ｂの直径Ｄｔに対する底面３ａの直径Ｄｂの比は、たとえば０．１３３以上０．１４６以下である。
【００３４】
第７ディンプルＧの直径Ｄｔは、たとえば４．０２ｍｍである。第７ディンプルＧの深さＤｐは、たとえば０．１６９ｍｍ以上０．１７６ｍｍ以下である。第７ディンプルＧの容積Ｖは、たとえば０．８１７ｍｍ3以上０．８５９ｍｍ3以下である。第７ディンプルＧの開口３ｂの直径Ｄｔに対する深さＤｐの比は、たとえば０．０４２以上０．０４４以下である。第７ディンプルＧの開口３ｂの直径Ｄｔに対する底面３ａの直径Ｄｂの比は、たとえば０．１２４以上０．１３７以下である。
【００３５】
第８ディンプルＨの直径Ｄｔは、たとえば４．０２ｍｍである。第８ディンプルＨの深さＤｐは、たとえば０．１８１ｍｍ以上０．１８７ｍｍ以下である。第８ディンプルＨの容積Ｖは、たとえば０．８７３ｍｍ3以上０．９１４ｍｍ3以下である。第８ディンプルＨの開口３ｂの直径Ｄｔに対する深さＤｐの比は、たとえば０．０４５以上０．０４７以下である。第８ディンプルＨの開口３ｂの直径Ｄｔに対する底面３ａの直径Ｄｂの比は、たとえば０．１２４以上０．１３７以下である。
【００３６】
第９ディンプルＩの直径Ｄｔは、たとえば４．３９ｍｍである。第９ディンプルＩの深さＤｐは、たとえば０．２２６ｍｍ以上０．２３４ｍｍ以下である。第９ディンプルＩの容積Ｖは、たとえば１．２８６ｍｍ3以上１．３４４ｍｍ3以下である。第９ディンプルＩの開口３ｂの直径Ｄｔに対する深さＤｐの比は、たとえば０．０５２以上０．０５３以下である。第９ディンプルＩの開口３ｂの直径Ｄｔに対する底面３ａの直径Ｄｂの比は、たとえば０．１１４以上０．１２５以下である。
【００３７】
第１０ディンプルＪの直径Ｄｔは、たとえば４．３９ｍｍである。第１０ディンプルＪの深さＤｐは、たとえば０．２３８ｍｍ以上０．２４５ｍｍ以下である。第１０ディンプルＪの容積Ｖは、たとえば１．３５２ｍｍ3以上１．４１０ｍｍ3以下である。第１０ディンプルＪの開口３ｂの直径Ｄｔに対する深さＤｐの比は、たとえば０．０５４以上０．０５６以下である。第１０ディンプルＪの開口３ｂの直径Ｄｔに対する底面３ａの直径Ｄｂの比は、たとえば０．１１４以上０．１２５以下である。
【００３８】
複数のディンプル３の直径Ｄｔは、たとえば２ｍｍ以上５ｍｍ以下である。複数のディンプル３の直径Ｄｔは、２．４０ｍｍ以上４．３９ｍｍ以下であってもよい。ディンプル３の直径Ｄｔが小さいとディンプル効果が小さくなり、ディンプル３の直径Ｄｔが大きいとディンプル３の隙間が増えるためディンプル効果が小さくなる。
【００３９】
複数のディンプル３の深さＤｐは、たとえば０．１２ｍｍ以上０．２８ｍｍ以下である。複数のディンプル３の深さＤｐは、０．１４４ｍｍ以上０．２４７ｍｍ以下であってもよい。ディンプル３の深さＤｐが浅いとゴルフボール１が吹き上がりすぎ、ディンプル３の深さＤｐが深いとゴルフボール１がドロップする。
【００４０】
続いて、本発明の一実施の形態のゴルフボールの構造について説明する。
ゴルフボールの直径は、規則（Ｒ＆Ａ、及びＵＳＧＡ参照）の定めるところにより、４２．６７ｍｍ以上にすることが求められている。但し、空力特性等を考慮するとボール径はできるだけ小さくすることが好ましく、例えば４２．７〜４３．７ｍｍとすることができる。重さも、規則の定めるところにより４５．９３ｇ以下にすることが求められている。空力特性を考慮すると重さはできるだけ大きいことが好ましく、４５．２ｇ以上４５．９３ｇ以下に形成することができる。
【００４１】
図５を参照して、ゴルフボール１は、コア１０と、カバー２０と、中間層３０を備えている。コア１０は、カバー２０および中間層３０に覆われている。中間層３０はカバー２０に覆われている。ゴルフボール１は、カバー２０の外側にペイント層及びマーク層を備えているが、説明の便宜のため、これらの層の図示されていない。
【００４２】
コア１０の形状としては、球状が一般的であるが、例えば、球状のコア１０の表面を均等に分割するように突条が設けられていても良いし、均等に分布した凹部が設けられていても良い。突条を設ける場合には、突条によって仕切られる凹部を、複数の包囲層、あるいは、それぞれの凹部を被覆するような単層の包囲層によって充填するようにして、コア１０と包囲層からなる成形体の形状を球形とすることが好ましい。凹部を設ける場合には、コア１０を被覆する外層材で凹部が充填されるように成形され、形状を球形とすることが好ましい。
【００４３】
コア１０は、球状に設けられている。コア１０は、ゴム組成物で形成されている。コア１０の直径は、たとえば３８．３ｍｍである。コア１０の重量は、たとえば３３．７ｇである。コア１０が小さいと反発性能が低下し、コア１０が大きすぎるとコア１０を被覆するカバー２０および中間層３０の厚みが小さすぎて耐久性が落ちたり、ボールが軟らかくなりすぎ逆に反発性能が低下したりする。
【００４４】
コア１０は、基材ゴム、架橋剤、不飽和カルボン酸の金属塩、充填剤等を配合したゴム組成物で製造することができる。基材ゴムとしては、たとえばポリブタジエンを使用することができる。架橋剤としては、たとえばジクミルパーオキサイドを使用することができる。不飽和カルボン酸の金属塩としては、たとえばアクリル酸亜鉛を使用することができる。充填剤としては、たとえば酸化亜鉛、炭酸マグネシウムを使用することができる。
【００４５】
カバー２０は、エラストマーで構成されている。カバー２０の表面には複数のディンプル（図１参照）が設けられている。カバー２０の直径は、たとえば４２．７ｍｍである。カバー２０の材料として、熱可塑性ポリウレタンを使用することができる。
【００４６】
カバー２０の形成には、射出成形法、圧縮成形法、注型成形法等の既知の手法が採用されうる。カバー成形の際、カバー表面に複数のディンプル（図１参照）が形成される。成形後、必要に応じて、バリ取り、洗浄、研摩、塗装、マーク印刷がなされ、ゴルフボールが完成する。
【００４７】
中間層３０は、コア１０とカバー２０の間に設けられている。中間層３０は、一層または二層以上であってもよい。中間層３０の直径は、たとえば４０．５ｍｍである。中間層３０の重量は、たとえば３８．８ｇである。中間層３０の材料として、アイオノマーを使用することができる。
【００４８】
次に、本発明の一実施の形態におけるゴルフボール１の作用効果について説明する。
本発明の一実施の形態におけるゴルフボール１では、複数のディンプル３の各々は、円形状の底面３ａと、円形状であり、底面よりも大きな直径を有する開口３ｂと、底面３ａと開口３ｂとをつなぐ側面３ｃとを含んでいる。側面３ｃは、底面３ａから開口３ｂまで複数のディンプル３の各々の直径が大きくなるように直線的に傾斜している。底面３ａの直径Ｄｂは、０．４５ｍｍ以上０．６０ｍｍ以下である。これにより、飛距離を十分に向上させることができることを発明者らは見出した。
【００４９】
また、複数のディンプル３は、互いに形状が異なる複数のディンプル群を含んでいる。複数のディンプル群の各々における開口３ｂの直径Ｄｔに対する深さＤｐの比の平均値は、０．０５６以上０．０５８以下である。これにより、飛距離を十分に向上させることができることを発明者らは見出した。
【００５０】
また、複数のディンプル群の各々における開口３ｂの直径Ｄｔに対する底面３ａの直径Ｄｂの比の平均値は、０．１２以上０．１８以下である。これにより、飛距離を十分に向上させることができることを発明者らは見出した。
【実施例】
【００５１】
以下、本発明の実施例について比較例と対比して説明する。なお、上記の本発明の一実施の形態と同一または相当する部分には同一の参照符号を付し、その説明を繰り返さない。
【００５２】
実施例１〜２および比較例１〜４のゴルフボールを準備した。表１は、比較例１〜４のゴルフボールの構成を示している。表２は、実施例１〜２のゴルフボールの構成を示している。表１および表２を参照して、実施例１〜２および比較例１〜４のゴルフボールの構成を説明する。
【００５３】
【表１】
2020054642.tif 000003
【００５４】
【表２】
2020054642.tif 000004
【００５５】
本発明の実施例１〜２のゴルフボールは、上記の本発明の一実施の形態におけるゴルフボールと同様の構成を備えている。つまり、再び図１を参照して、複数のディンプル３は、複数のディンプル群の各々として、第１ディンプルＡ、第２ディンプルＢ、第３ディンプルＣ、第４ディンプルＤ、第５ディンプルＥ、第６ディンプルＦ、第７ディンプルＧ、第８ディンプルＨ、第９ディンプルＩ、第１０ディンプルＪを含んでいる。表１のＮｏ．Ａ〜Ｊは、第１ディンプルＡ〜第１０ディンプルＪに対応している。表１の個数は、第１ディンプルＡ〜第１０ディンプルＪの個数である。表１および表２の他の符号は、上記の本発明の一実施の形態における符号に対応している。
【００５６】
比較例１〜４のゴルフボールは、上記の本発明の一実施の形態におけるゴルフボールと同様に複数のディンプルが配置されている。比較例１のゴルフボールでは、複数のディンプルの各々は、陸部からゴルフボールの中心に向けて半球状に凹むように設けられている。比較例２〜４のゴルフボールは、上記の本発明の一実施の形態におけるゴルフボールに比べて複数のディンプルの形状が異なっている。
【００５７】
実施例１〜２および比較例１〜４のゴルフボールを用いて、ゴルフボールの飛距離を測定するために、キャリー（ｙ：ヤード）を測定した。キャリーは、株式会社ミヤマエ製ゴルフロボットを用いて測定した。このゴルフロボットにゴルフクラブをセットして、このゴルフクラブで実施例１〜２および比較例１〜４のゴルフボールを打撃してキャリーを測定した。キャリーは、ゴルフボールが打撃されてから最初に地面に接地するまでの距離である。このゴルフクラブには、美津濃株式会社製ドライバーＪＰＸ９００を用いた。このゴルフクラムのヘッドスピード（ＨＳ）は、約４０ｍ／Ｓとした。キャリーは、打撃した５球の平均値を採用した。表２は、実施例１〜２および比較例１〜４のゴルフボールのキャリーを示している。
【００５８】
【表３】
2020054642.tif 000005
【００５９】
表３を参照して、実施例１〜２のゴルフボールは、比較例１のゴルフボールに比べて、キャリーが大きくなった。また、実施例１〜２のゴルフボールは、比較例２〜４のゴルフボールに比べて、キャリーが大きくなった。したがって、本発明の実施例１〜２のゴルフボールによれば、飛距離を十分に向上させることができることがわかった。
【００６０】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００６１】
１  ゴルフボール、２  陸部、３  ディンプル、３ａ  底面、３ｂ  開口、３ｃ  側面、４  仮想面、１０  コア、２０  カバー、３０  中間層、Ａ〜Ｊ  第１〜１０ディンプル、Ｄｔ  ディンプルの直径、Ｄｂ  底面の直径、Ｄｐ  ディンプルの深さ、Ｖ  容積。
【図１】
2020054642.tif 000006
【図２】
2020054642.tif 000007
【図３】
2020054642.tif 000008
【図４】
2020054642.tif 000009
【図５】
2020054642.tif 000010